(57)【特許請求の範囲】
【請求項１】
レジ運用期間において複数のＰＯＳレジスタの夫々から、少なくともレジ番号、開店前に該当ＰＯＳレジスタに用意された元金額および該当ＰＯＳレジスタが開設状態か閉設状態かを示す開閉情報を含む設定情報と、商品名及び価格を含む情報からなる販売データと、を含むレジ情報を受け取る受取手段と、
前記ＰＯＳレジスタに補充された補充金額の入力を受け付け、
前記ＰＯＳレジスタのレジ状態を、レジ番号、開閉状態、元金額、前記補充金額および売上合計金額を表すレジ状態データとして管理し、前記受け取られたレジ情報および前記入力された補充金額に応じて前記レジ状態データを更新する、管理手段と、
前記管理手段に問い合わせレジ状態に前回から変更のあったＰＯＳレジスタのレジ状態データを取得する取得手段と、
前記レジ状態データを記憶する記憶手段と、
前回からレジ状態に変更のあったＰＯＳレジスタ毎に、
今回取得したレジ状態データと、前回取得したレジ状態データとの関係が、前記ＰＯＳレジスタの運用上適正であるか否かの判定を行う制御手段と、
前記制御手段による判断結果に応じたデータを出力する出力手段と、を備え、
前記今回取得したレジ状態データの開閉状態が閉であり、前記前回取得したレジ状態データの開閉状態が開であり、且つ前記前回取得したレジ状態データの売上合計金額が０超えであるとき、前記ＰＯＳレジスタの運用が適正でないと判断する
ことを特徴とするPOSレジスタ管理システム。
【請求項２】
前記ＰＯＳレジスタから現金が回収された前記レジ番号の入力を受け付ける入力手段と、
前記回収された現金の入力を受けて前記レジ番号毎に計数する現金処理手段をさらに備え、
前記取得手段は、前記現金処理手段から前記現金の計数結果を取得し、
前記記憶手段は、前記レジ番号と対応づけて、前記計数結果を記憶し、
前記出力手段は、前記制御手段により前記ＰＯＳレジスタの運用が適正であると判定されたときは、少なくとも前記ＰＯＳレジスタの今回取得したレジ状態データと今回取得したレジ状態データの取得時に対応して計数された前記現金の計数結果と、
を含むデータを出力することを特徴とする請求項１に記載のＰＯＳレジスタ管理システム。
【請求項３】
前記制御手段は、
前記今回取得したレジ状態データと、前記今回取得したレジ状態データの取得時に対応して計数された前記計数結果との関係が、前記ＰＯＳレジスタの運用上適正か否かのさらなる判定を行うに際し、前記今回取得したレジ状態データの取得時に対応して計数された前記計数結果が、前記今回取得したレジ状態データの元金額と補充金額と売上合計金額との合計を超えているとき、前記ＰＯＳレジスタの運用が適正でないと判断し、
または、
前記設定情報に部門番号が含まれ、前記管理手段で管理する前記レジ状態データに前記部門番号が含まれており、前記判定として、前記前回取得したレジ状態データの元金額、補充金額および売上合計金額が何れも０で無く、かつ、前記今回取得したレジ状態データの前記部門番号が前記前回取得したレジ状態データの前記部門番号から変更されているとき、前記ＰＯＳレジスタの運用が適正でないと判断し、
前記出力手段は、前記制御手段により前記ＰＯＳレジスタの運用が適正でないと判定されたときは、前記ＰＯＳレジスタの運用が適正でない理由を含むデータを出力することを特徴とする請求項２に記載のＰＯＳレジスタ管理システム。
【請求項４】
前記制御手段は、前記さらなる判定として、前記レジ運用期間内の最後に取得されたレジ状態データにおける元金額、補充金額および売上合計金額との合計と、当該レジ状態データの取得時に対応して計数された前記計数結果とが一致するか否か、または、前記計数結果から前記元金額および補充金額を減算した結果が前記売上合計金額に一致しているか否かに応じて、前記レジ状態データと前記計数結果が整合するか否かを判断する、ことを特徴とする請求項３に記載のＰＯＳレジスタ管理システム。
【請求項５】
前記受取手段で取得される前記設定情報には前記補充金額が含まれ
前記補充金額は係員が操作する入力手段から取得する、若しくは、前記レジ情報を経由して取得することを特徴とする請求項１ないし４のいずれか一項に記載のＰＯＳレジスタ管理システム。
【発明の詳細な説明】
【技術分野】
【０００１】
本発明は、ＰＯＳレジスタから収集したレジ情報を用いてＰＯＳレジスタの状態を管理するＰＯＳレジスタ管理システムに関する。
【背景技術】
【０００２】
スーパーマーケットや百貨店等の店舗内の売り場には、商品から商品名や価格等の販売データを読み取るＰＯＳレジスタが配置される。
【０００３】
また、店舗内には、ＰＯＳレジスタから上述の販売データを含む各種データ（レジ情報）を収集して、ＰＯＳレジスタの状態（例えばレジＮｏ、部門Ｎｏ、売上合計金額等）を管理する管理装置が配置される。
【０００４】
さらに、店舗内には、ＰＯＳレジスタから回収した現金を収納する現金処理システムが配置され、この現金処理システムは管理装置との間でデータ通信可能に構成される。
【０００５】
ところで、店舗内においては、開店時間内に、途中集金処理が行われることがある。さらに、閉店後には、店舗内で、精算処理が行われる。
【０００６】
途中集金処理では、例えば、釣り銭として用いられない１万円札を係員がＰＯＳレジスタから回収して現金処理システムに投入し、現金処理システムは、投入された現金を計数する。一方、現金処理システムは、係員の指示を受けて、管理装置から現時点におけるＰＯＳレジスタの状態を示すレジ状態データ（レジＮｏ、部門Ｎｏ、開設状態、売上合計金額等）を取得する。現金処理システムは、計数結果とレジ状態データとを含むリストを出力する。係員は、リストに基づき、現時点におけるシステムの運用状況を把握する。
【０００７】
また、精算処理では、係員がＰＯＳレジスタ内から全ての現金を回収して現金処理システムに投入し、現金処理システムは、投入された現金を計数する。一方、現金処理システムは、係員の指示を受けて、管理装置から、閉店後におけるＰＯＳレジスタの状態を示すレジ状態データを受け取る。現金処理システムは、計数結果とレジ状態データとを含むリストを出力する。係員は、リストに基づき、１日におけるシステムの運用結果（例えば売上合計金額と実際の入金額とが一致しているか等）を確認する。
【特許文献１】特開平１０−４９７５３号公報
【特許文献２】特開平３−１５４９９６号公報
【発明の開示】
【発明が解決しようとする課題】
【０００８】
しかし、上述した途中集金処理及び精算処理では種々の問題が生じていた。
【０００９】
例えば、ＰＯＳレジスタにおいて操作ミス等の異常が発生してＰＯＳレジスタの設定内容（例えば部門Ｎｏ、開閉情報）が変更され、この結果、設定内容が、店舗の運用条件に適合しなくなる場合がある。かかる場合に、係員が、上述の途中集金処理や精算処理時に、このことに気づかないと、種々の不都合（例えば違算）が生じ得る。
【００１０】
この他、例えば、係員が、精算処理時に、現金処理システムにレジ状態データの受信起動をかけることを忘れて、現金処理システムが、古いレジ状態データを載せたリストを出力することがある。出力されたリストにおいて、レジ状態データと計数結果とが整合しないと、その原因の追及に多くの時間を要し、また、原因に気づいた後も、レジ状態データの受信をやり直さなければならず、手間がかかる。
【００１１】
本発明は、上記問題点に鑑みてなされたものであり、その目的は、ＰＯＳレジスタが適正な状態で運用されているか否かを有効に把握できるＰＯＳレジスタ管理システムを提供することにある。
【課題を解決するための手段】
【００１２】
本発明のＰＯＳレジスタ管理システムは、ＰＯＳレジスタからレジ情報を受け取る受取手段と、前記レジ情報に基づいて、前記ＰＯＳレジスタの状態を管理する管理手段と、前記管理手段から前記ＰＯＳレジスタの状態を示すレジ状態データを取得する取得手段と、前記レジ状態データを記憶する記憶手段と、前記レジ状態データが、所定の条件を満たすか否かを判断する判断手段と、前記判断手段による判断結果を出力する出力手段と、を備える。
【００１３】
前記判断手段は、前記レジ状態データと、前回取得したレジ状態データとの関係が所定の条件に適合するか否かを判断する。
【００１４】
前記ＰＯＳレジスタ管理システムは、前記ＰＯＳレジスタから回収された現金の入力を受け付け、入力された現金を計数する現金処理手段をさらに備え、前記出力手段は、前記判断結果として、前記レジ状態データが前記所定の条件を満たす場合は、前記レジ状態データと、前記現金処理手段による計数結果とを含むデータを、表示、印字または外部に送信することを特徴とする。
【００１５】
前記出力手段は、前記判断結果として、前記レジ状態データが前記所定の条件を満たさない場合は、少なくとも満たさない理由を含むデータを、表示、印字または外部に送信することを特徴とする。
【００１６】
前記ＰＯＳレジスタ管理システムは、前記ＰＯＳレジスタから回収された現金の入力を受け付け、入力された現金を計数する現金処理手段をさらに備え、前記判断手段は、さらに、前記レジ状態データと、前記現金処理手段による計数結果とが整合するか否かを判断することを特徴とする。
【００１７】
前記取得手段は、前記管理手段に問い合わせて、前記ＰＯＳレジスタの状態に変化が生じたか否かを判断し、前記ＰＯＳレジスタの状態に変化が生じた場合は、前記レジ状態データを取得することを特徴とする。
【００１８】
前記判断手段は、前記レジ状態データが前記所定の条件を満たす場合は、前記レジ状態データを用いて、前回取得したレジ状態データを更新することを特徴とする。
【発明の効果】
【００１９】
本発明によれば、ＰＯＳレジスタから収集したレジ情報を用いてＰＯＳレジスタの状態が所定の条件を満たすか否かを判断するようにしたので、ＰＯＳレジスタが適正な状態で運用されているか否かを有効に把握できる。また、ＰＯＳレジスタの状態を示すレジ状態データと、ＰＯＳレジスタから回収した現金額との整合性を判断するようにしたので、データと実際の回収金額との不整合を容易に確認できる。また、ＰＯＳレジスタの状態に変更が生じた場合は、ＰＯＳレジスタの状態を示すレジ状態データを更新するようにしたので、古いレジ状態データと、ＰＯＳレジスタから回収した現金額とを比較することによる問題を阻止できる。
【発明を実施するための最良の形態】
【００２０】
図１は、本発明の実施の形態としてのＰＯＳレジスタ管理システムの構成を示すブロック図である。
【００２１】
このＰＯＳレジスタ管理システムは、例えば、百貨店、スーパーマーケット、コンビニエンスストア、ガソリンスタンドなどの店舗内に設置される。
【００２２】
このＰＯＳレジスタ管理システムは、商品名及び価格等の販売データを商品から読み取るとともに現金の入出金処理を行うＰＯＳレジスタ１（（１）〜（１９））と、ＰＯＳレジスタ１からレジ情報（設定情報や販売データ等）を収集してＰＯＳレジスタ１の状態を管理する管理装置２と、ＰＯＳレジスタ１から回収された金額と、管理装置２から取得したＰＯＳレジスタ１の状態を示すレジ状態データとに基づいて、ＰＯＳレジスタ及びシステム全体が適正に運用されているか否かを判断する現金処理システム３とを備える。
【００２３】
以下、ＰＯＳレジスタ１、管理装置２及び現金処理システム３について詳しく説明する。
【００２４】
まず、ＰＯＳレジスタ１について説明する。
【００２５】
各ＰＯＳレジスタ１は、それぞれ、上述の百貨店やスーパーマーケット等の売り場に配置され、（Ａ）レジＮｏ、（Ｂ）開店前に各ＰＯＳレジスタに用意された元金額、（Ｃ）開店後に各ＰＯＳレジスタに補充された補充金額、（Ｄ）各ＰＯＳレジスタが配置された部門のコード（部門Ｎｏ）、及び（Ｅ）各ＰＯＳレジスタが開設か閉設状態かを示す開閉情報等からなる設定情報を保持する。本実施の形態では、各ＰＯＳレジスタ１（（１）〜（１９））は、レジＮｏとして、それぞれ、００１、００２、・・・０１９を有するものとする。
【００２６】
各ＰＯＳレジスタ１は、商品から読み取った販売データ及び上述の設定情報（以上、レジ情報）を、ネットワーク４を介して管理装置２に送出する。具体的には、例えば、ＰＯＳレジスタ１は、売上げが発生するたびに、レジ情報を管理装置２に送出する。また、ＰＯＳレジスタ１は、管理装置２から指定されたタイミングで、レジ情報あるいは設定情報を管理装置２に送出することもできる。
【００２７】
本例では、ＰＯＳレジスタは計１９台配置されているが、本発明では、配置台数は問わない。
【００２８】
次に、管理装置２について説明する。
【００２９】
管理装置２は、ＰＯＳレジスタ１からレジ情報を収集し、収集したレジ情報を用いて、現時点におけるＰＯＳレジスタ１の状態（レジ状態）（レジＮｏ、開設状態、部門Ｎｏ、元金額、補充金額、売上合計金額）を管理する。
【００３０】
より詳しくは、制御部５は、ＰＯＳレジスタ１から収集したレジ情報（販売データ）を用いて、売上合計金額を更新する。また、制御部５は、ＰＯＳレジスタ１から収集した設定情報に基づき、レジの状態（部門Ｎｏ、開設状態、補充金額など）が変更されたか否かを判断し、変更された場合は、レジ状態を更新する。レジ状態及びＰＯＳレジスタ１から収集された情報は記憶部７に格納される。
【００３１】
本実施の形態では、制御部５は、ＰＯＳレジスタ１からの通知によりＰＯＳレジスタ１の元金額及び補充金額を把握するが、別途、係員等が、管理装置２に元金額及び補充金額のデータを入力可能にし、制御部５は、入力されたデータに基づき元金額及び補充金額を把握してもよい。
【００３２】
通信部６は、ターミナル装置１１における通信部１２との間でデータ通信を行う。
【００３３】
ＰＯＳレジスタ１に装填する元金及び補充金は、別途、店舗内の金庫等（図示せず）に保管している。
【００３４】
次に、現金処理システム３について説明する。
【００３５】
現金処理システム３は、紙幣の入出金処理を行う紙幣入出金機１４と、硬貨の入出金処理を行う硬貨入出金機１５と、これら紙幣入出金機１４及び硬貨入出金機１５を管理するターミナル装置１１とを備える。
【００３６】
以下、紙幣入出金機１４、硬貨入出金機１５及びターミナル装置１１について詳しく説明する。
【００３７】
まず、紙幣入出金機１４について説明する。
【００３８】
紙幣入出金機１４は、紙幣入金口２０から搬入された紙幣の金種及び正損などを識別する入金識別部２１と、紙幣搬送経路２２と、入金識別部２１で紙幣として認識できないリジェクト紙幣を収納するリジェクトボックス２３と、出金紙幣の金種などを識別する出金識別部２４と、出金紙幣を出金する紙幣出金口３２とを備える。
【００３９】
また、紙幣入出金機１４は、入金され釣り銭となる千円札を収容し且つ出金または回収処理の際この千円札を搬出する第１環流スタッカ２５と、入金され釣り銭となる５千円札及び２千円札を収容し且つ出金または回収処理の際この５千円札及び２千円札を搬出する第２環流スタッカ２６と、第１又は第２環流スタッカ２５、２６でオーバーフローした千円札、５千円札、２千円札、入金され釣り銭とならない１万円札、及び回収処理によって第１及び第２環流スタッカ２５、２６から回収した千円札、５千円札、２千円札を収納する脱着自在の回収カセット２７とを備える。
【００４０】
また、紙幣入出金機１４は、回収カセット２７の脱着状態を検出する回収カセット検出器２８と、回収カセット２７内の紙幣の有無を検出する回収カセット紙幣検出センサ２９と、紙幣入出金機１４全体を制御する制御部３０と、各種操作入力を行う操作部３１と、を備える。
【００４１】
次に、硬貨入出金機１５について説明する。
【００４２】
硬貨入出金機１５は、硬貨入金口４０から搬入された硬貨の金種及び正損などを識別する入金識別部４１と、搬送されてきた硬貨をその形状などを基に選別する選別機４２と、硬貨を金種別に収納する金種別収納部４３と、硬貨を出金する硬貨出金口４４と、硬貨入出金機１５全体を制御する制御部４５とを備える。
【００４３】
次に、ターミナル装置１１について説明する。
【００４４】
ターミナル装置１１は、ユーザに対して各種データを表示する表示部５０と、ユーザからのデータの入力を受け付けるキーボード５１と、データを印刷するプリンタ５２と、管理装置２との間でデータ通信を行う通信部１２と、ターミナル装置１１全体を制御する制御部５３とを備える。制御部５３は、管理装置２からレジ状態データを受け取り、受け取ったレジ状態データと、ＰＯＳレジスタ１から回収された金額とを用いて、各ＰＯＳレジスタ及びシステム全体が適正に運用されているか否かを把握する。
【００４５】
図２は、本ＰＯＳレジスタ管理システムを用いた日常業務の流れを示すシーケンス図である。
【００４６】
図３は、図２に続く、シーケンス図である。
【００４７】
まず、図２のステップＳ１に示すように、開店前に、係員が、現金処理システム３の電源をオンにし、さらに、ステップＳ２に示すように、係員が、管理者から、釣り銭用の元金を受け取って各ＰＯＳレジスタ１に装填し、管理装置２に元金データを入力する。
【００４８】
次に、ステップＳ３に示すように、管理装置２は、現金処理システム３に対して、開店時における各ＰＯＳレジスタ１の状態を示すレジ状態データ（レジＮｏ、開閉情報、元金額、補充金額、部門Ｎｏ、売上合計金額）（開店時レジ状態データ）を送出すると共に、該当するＰＯＳレジスタ１に元金額を送信し、ＰＯＳレジスタ１では装填した元金との照合をとり、結果を管理装置２へ返す。
【００４９】
ここで、レジＮｏは、レジ固有の番号であり、開閉情報は、ＰＯＳレジスタ１が開設していれば“開”、閉設していれば“閉”である。元金額は、開店前にＰＯＳレジスタに釣り銭用に準備された金額であり、例えば５万円が準備された場合は、“５０，０００”である。補充金額は、開店後にＰＯＳレジスタに補充された金額であり、本ステップでは、初期値“０”である。売上合計金額は、初期値 “０”である。部門Ｎｏは、ＰＯＳレジスタの部門Ｎｏであり、例えば、ＰＯＳレジスタが部門Ｎｏ０００１を有する場合は、部門Ｎｏは、“０００１”である。
【００５０】
以上のステップＳ１〜Ｓ３が終了し、開店時刻になると、ＰＯＳレジスタ１は、ステップＳ４に示すように、通常レジ業務処理を実行する。即ち、ＰＯＳレジスタ１は、売上げが発生するたびに、レジ情報（販売データ及び設定情報（レジＮｏ、部門Ｎｏ、開閉情報、元金額、補充金額））を管理装置２に送出する。
【００５１】
管理装置２における制御部５は、ステップＳ５に示すように、このレジ情報を受け取り、受け取ったレジ情報に基づきレジ状態（レジＮｏ、開閉情報、元金額、補充金額、部門Ｎｏ、売上合計金額）を更新する。この際、制御部５は、更新日時も記憶する。制御部５は、定期的にＰＯＳレジスタ１にポーリングをかけるなどして、各ＰＯＳレジスタ１から設定情報を取得してもよい。この場合、制御部５は、取得した設定情報の内容が、自己が保持している最新のレジ状態と異なる（例えば部門Ｎｏが異なる）ときは、この設定情報に基づき、レジ状態を更新する。
【００５２】
開店後、ＰＯＳレジスタ１の釣り銭が不足して、ＰＯＳレジスタ１に補充金を装填する場合は、ステップＳ６に示すように、係員が管理者から補充金を受け取り、該当するＰＯＳレジスタ１に装填し、管理装置２に補充金データを入力する。管理装置２における制御部５は、係員により入力された補充金データに基づき、レジ状態（補充金額）を更新する。なお、補充金データをＰＯＳレジスタ１に入力し、管理装置２は、ＰＯＳレジスタ１から受け取るレジ情報に基づき、レジ状態（補充金額）を更新するようにしてもよい。
【００５３】
さて、本日常業務では、開店から閉店までの間に、途中集金処理が複数回（第１回、第２回、・・・第ｎ回）行われる。以下これについて詳しく説明する。
【００５４】
まず、第１回目の途中集金処理では、ステップＳ７、Ｓ８に示すように、所定の時刻になると、係員が、各ＰＯＳレジスタ１を廻って、各ＰＯＳレジスタ１から例えば１万円札（釣り銭として用いられない）のみを取り出し、予め用意したレジＮｏの付されたレジ袋に入れる。
【００５５】
次に、ステップＳ９に示すように、係員は、現金処理システム３のキーボード５１を用いて、レジＮｏを入力すると共に、このレジＮｏの付された袋内の現金を、紙幣入出金機１４における紙幣入金口２０に投入する。紙幣入出金機１４における制御部３０は、投入された現金を計数して、計数結果をターミナル装置１１における制御部５３に送出し、制御部５３は、受け取った計数結果をレジＮｏに関連づけて記憶する。以上のことを、全てのレジ袋について行う。
【００５６】
次に、ステップＳ１０に示すように、係員は、ターミナル装置１１におけるキーボード５１を用いて「途中集金指示」を入力し、制御部５３は、この指示を受けて途中集金処理を実行する。
【００５７】
即ち、まず、制御部５３は、管理装置２における制御部５から、各ＰＯＳレジスタのレジ状態の更新日時を受け取る（ステップＳ１０）。
【００５８】
ターミナル装置１１における制御部５３は、受け取った更新日時が、記憶している更新日時（この場合ステップＳ３で開店時レジ状態データを受け取った時刻）より新しいか否かを判断し、新しい場合は、制御部５３は、そのＰＯＳレジスタのレジ状態データの送出を、管理装置２の制御部５へ要求し、制御部５から新しいレジ状態データを受け取る（ステップＳ１１）。
【００５９】
例えば、開店後、ＰＯＳレジスタ１（１）に売上げが発生した場合は、このＰＯＳレジスタ１（１）のレジ状態が更新（売上合計金額が更新）されるので、この場合、「途中集金指示」に対し、制御部５は、このＰＯＳレジスタ１（１）のレジ状態データを、制御部５３に送出する。また、ＰＯＳレジスタ１（１）に部門Ｎｏや補充金額に変更があった場合等も、レジ状態が更新されるので、この場合も、制御部５は、レジ状態データを制御部５３に送出する。
【００６０】
以上では、制御部５３が、制御部５から受け取った更新日時に基づき、各ＰＯＳレジスタのレジ状態に変更があったか否かを判断したが、制御部５が、制御部５３の要求に応じて、各ＰＯＳレジスタ１のレジ状態に変更があったか否かを判断し、レジ状態に変更のあったＰＯＳレジスタ１についてのレジ状態データを、制御部５３に送出するようにしてもよい。
【００６１】
ターミナル装置１１における制御部５３は、管理装置２における制御部５から受け取ったレジ状態データ（第１の途中レジ状態データ）が所定の条件を満たすか否かを判断する（ステップＳ１０）。
【００６２】
例えば、制御部５３は、開店時（運用開始時）レジ状態データから第１の途中レジ状態データへのレジ状態データの変更が、所定の条件（例えば受信データと前回データとを比較して判断する要件）に適合するか否か（売上げの発生しているＰＯＳレジスタの開閉情報が、開設から閉設に変更されていないか等）を判断する。
【００６３】
制御部５３は、判断の結果として、所定の条件を満たすＰＯＳレジスタについては、そのＰＯＳレジスタの開店時レジ状態データ（前回のレジ状態データ）、前回の計数結果（ここでは０とする。開店時（前回）にはＰＯＳレジスタから現金を回収していないため。）、第１の途中レジ状態データ（今回のレジ状態データ）及び今回の計数結果を含む更新リスト（後述する図４の上段参照）を生成する（ステップＳ１０）。
【００６４】
また、制御部５３は、所定の条件を満たさないＰＯＳレジスタについては、そのＰＯＳレジスタの開店時レジ状態データ、前回の計数結果（０とする）及び所定の条件を満たさない理由を含む未更新リスト（後述する図４の下段参照）を生成する（ステップＳ１０）。
【００６５】
制御部５３は、生成した更新リスト及び未更新リストを、表示部５０で表示すると共に、プリンタ５２を用いて印字する（ステップＳ１０）。
【００６６】
制御部５３は、所定の条件を満たすＰＯＳレジスタの開店時レジ状態データを第１の途中レジ状態データによって更新する（ステップＳ１０）。
【００６７】
一方、制御部５３は、所定の条件を満たさないＰＯＳレジスタについては開店時レジ状態データをそのまま保持し、第１の途中レジ状態データを、そのまま一時、記憶部（図示せず）に保持するか、あるいは消去する（ステップＳ１０）。
【００６８】
制御部５３は、生成した更新リスト及び未更新リストを、途中集金データとして、管理装置２における制御部５に送出する（ステップＳ１０）。
【００６９】
以上により第１回目の途中集金処理が終了する（ステップＳ７〜Ｓ１１）。
【００７０】
この後、所定時間経過後に、第２回目の途中集金処理（ステップＳ１２〜Ｓ１６）が、以上と同様にして、行われる。
【００７１】
即ち、まず、ステップＳ１２、Ｓ１３に示すように、係員が、各ＰＯＳレジスタ１を廻って、各ＰＯＳレジスタ１から例えば１万円札のみを取り出し、予め用意したレジＮｏの付されたレジ袋に入れる。
【００７２】
次に、ステップＳ１４に示すように、係員は、キーボード５１を用いてレジＮｏを入力すると共に、このレジＮｏの付された袋内の現金を、紙幣入金口２０に投入する。これを、全てのレジ袋について行う。制御部５３は、ＰＯＳレジスタ１ごとに、計数結果とレジＮｏとを関連づけて記憶する。
【００７３】
次に、ステップＳ１５に示すように、ターミナル装置１１における制御部５３は、係員による指示を受けて、第２回目の途中集金処理を実行する。
【００７４】
即ち、まず、制御部５３は、管理装置２における制御部５から、レジ状態の更新日時を受け取る。（ステップＳ１５）。
【００７５】
ターミナル装置１１における制御部５３は、受け取った更新日時に基づき、レジ状態に変更があったＰＯＳレジスタ１が存在するか否かを判断し、存在すると判断した場合は、そのＰＯＳレジスタ１のレジ状態データ（第２の途中レジ状態データ）を、管理装置２における制御部５から受け取る（ステップＳ１６）。
【００７６】
制御部５３は、管理装置２における制御部５から受け取った第２の途中レジ状態データが所定の条件を満たすか否かを判断する（ステップＳ１５）。
【００７７】
例えば、制御部５３は、第２の途中レジ状態データと、これに対応する自己が保有するレジ状態データ（第１回目の途中集金処理でレジ状態データが更新されなかったＰＯＳレジスタについては開店時レジ状態データ、それ以外の場合は第１の途中レジ状態データ）（前回のレジ状態データ）との関係が所定の条件を満たすか否かを判断する（ステップＳ１５）。
【００７８】
制御部５３は、判断の結果として、所定の条件を満たすＰＯＳレジスタについては、そのＰＯＳレジスタの前回のレジ状態データ（開店時あるいは第１の途中レジ状態データ）、前回の計数結果、第２の途中レジ状態データ及び今回の計数結果を含む更新リスト（後述する図４の上段参照）を生成する（ステップＳ１５）。
【００７９】
また、制御部５３は、所定の条件を満たさないＰＯＳレジスタについては、そのＰＯＳレジスタの前回のレジ状態データ（開店時あるいは第１の途中レジ状態データ）、前回の計数結果、及び所定の条件を満たさない理由を含む未更新リスト（後述する図４の下段参照）を生成する（ステップＳ１５）。
【００８０】
制御部５３は、生成した更新リスト及び未更新リストを、表示部５０で表示すると共に、プリンタ５２を用いて印字する（ステップＳ１５）。
【００８１】
制御部５３は、所定の条件を満たすＰＯＳレジスタの前回のレジ状態データを第２の途中レジ状態データによって更新する（ステップＳ１５）。
【００８２】
制御部５３は、生成した更新リスト及び未更新リストを、途中集金データとして、管理装置２における制御部５に送出する（ステップＳ１５）。
【００８３】
以上により第２回目の途中集金処理が終了する（ステップＳ１２〜Ｓ１６）。
【００８４】
図４は、第２回目の途中集金処理において生成された更新リスト及び未更新リストを示す図である。
【００８５】
図中、上段が更新リスト、下段が未更新リストであり、それぞれ、左右２つのブロックに大きく分かれている。
【００８６】
即ち、上段の更新リストにおいて、左側が、前回のレジ状態データ（開店時あるいは第１の途中レジ状態データ）及び前回の計数結果（以上、更新前データ）であり、右側が、第２の途中レジ状態データ及び今回の計数結果（以上、更新後データ）である。
【００８７】
一方、下段の未更新リストにおいては、左側が、前回のレジ状態データ（開店時あるいは第１の途中レジ状態データ）及び前回の計数結果であり、右側が、所定の条件を満たさない理由（未更新理由）である。
【００８８】
上段の更新リスト及び下段の更新リストのいずれにも記載されていないレジＮｏ００９〜０１２、０１６、０１７は、第１回目から第２回目までの途中集金処理の間に、レジ状態に変更のなかったＰＯＳレジスタのレジＮｏである。
【００８９】
以下、更新リスト及び未更新リストの見方について簡単に説明する。
【００９０】
まず、更新リストにおける連番１は、ＰＯＳレジスタ１（１）が、第１回目から第２回目の途中集金処理までの間に１００，０００円を売り上げた場合を示す。即ち、ＰＯＳレジスタ１（１）（レジＮｏ００１）の売上合計金額が、１５０，０００円から２５０，０００円に増大している。
【００９１】
更新リストにおける連番２は、ＰＯＳレジスタ１（２）（レジＮｏ００２）に釣り銭用に５，０００円分の金銭が補充され、さらに、ＰＯＳレジスタ１（２）が、１００，０００円を売り上げた場合を示す。
【００９２】
更新リストにおける連番３は、売上合計金額がゼロのＰＯＳレジスタ１（３）（レジＮｏ００３）が、開設状態（使用中）から、未登録（削除）になった場合（管理装置２から登録が抹消された場合）を示す。
【００９３】
更新リストにおける連番４は、売上合計金額がゼロのＰＯＳレジスタ１（４）（レジＮｏ００４）が、開設状態（使用中）から、閉設状態（未使用）に変更された場合を示す。
【００９４】
更新リストにおける連番５は、ＰＯＳレジスタ１（５）（レジＮｏ００５）が、閉設状態（未使用）から、開設状態（使用中）になった場合を示す。
【００９５】
更新リストにおける連番６は、ＰＯＳレジスタ１（６）（レジＮｏ００６）が、未登録から開設（使用中）になった場合を示す。
【００９６】
更新リストにおける連番７は、売上合計金額がゼロのＰＯＳレジスタ１（７）（レジＮｏ００７）の部門Ｎｏが、０８００から０７７５に変更された場合を示す。
【００９７】
更新リストにおける連番８は、売上合計金額がゼロのＰＯＳレジスタ１（８）（レジＮｏ００８）の部門Ｎｏが、０７７５から０８００に変更された場合を示す。
【００９８】
係員は、この更新リストを用いて、レジ状態が適正に更新されたＰＯＳレジスタを確認でき、さらに、この更新リストを用いて、計数結果と、レジ状態データとの整合性も判断できる。例えば、計数結果が、元金額＋補充金額＋売上合計金額以上であれば、現金の回収の際に異常があったことを発見できる。この判断は、ターミナル装置１１における制御部５３が実行してもよい。
【００９９】
一方、未更新リストにおける連番１は、売上げが発生しているＰＯＳレジスタ１（１３）（Ｎｏ０１３）が、開設状態（使用中）から、未登録（削除）に変更された場合を示す。上述の更新リストにおける連番３では、売上げが発生していない状態（売上合計金額が０の状態）で開設状態（使用中）から未登録（削除）になったが、本例では、売上げが発生している状態で未登録（削除）になったので、これは、所定の条件に適合しない。
【０１００】
未更新リストにおける連番２は、売上げが発生しているＰＯＳレジスタ１（１４）（Ｎｏ０１４）が、開設状態（使用中）から閉設状態（未使用）に変更された場合を示す。上述の更新リストにおける連番４では、売上げが発生していない状態で、開設状態（使用中）から閉設状態（未使用）になったが、本例では、売上げが発生している状態で閉設状態（未使用）になったので、これは、所定の条件に適合しない。
【０１０１】
未更新リストにおける連番３は、計数結果が、元金額、補充金額及び売上合計金額の合計（レジ在高）を越えている場合を示す。ＰＯＳレジスタから回収した金額が、元金額、補充金額及び売上合計金額の合計（レジ在高）を越えることは通常あり得ないので、これは所定の条件に適合しない。
【０１０２】
未更新リストにおける連番４は、ＰＯＳレジスタ１（１８）（Ｎｏ０１８）の部門Ｎｏが、「０８００」から「０７７５」に変更された場合を示す。上述の更新リストにおける連番７では、元金額、補充金額及び売上合計金額がいずれもゼロの状態で部門Ｎｏが変更されたが、本例では、元金額及び売上合計金額がゼロでない状態で部門Ｎｏが変更されたので、これは所定の条件に適合しない。
【０１０３】
未更新リストにおける連番５は、ＰＯＳレジスタ１（１９）（Ｎｏ０１９）の部門Ｎｏが、「０７７５」以外の部門Ｎｏに変更された場合を示す。上述の更新リストにおける連番８では、元金額、補充金額及び売上合計金額がいずれもゼロの状態で部門Ｎｏが「０７７５」以外の部門Ｎｏに変更されたが、本例では、元金額及び売上合計金額がゼロでない状態で部門Ｎｏが「０７７５」以外のものに変更されたので、これは所定の条件に適合しない。
【０１０４】
係員は、この未更新リストを参照して、不適正な運用状態にあるＰＯＳレジスタを確認できる。例えば、あるＰＯＳレジスタの部門Ｎｏが、所定の条件を満たさない状態で変更されていた場合は、このＰＯＳレジスタに異常（例えば操作ミス）があったこと等を推測できる。
【０１０５】
以上の未更新リストには、前回のレジ状態データ（開店時レジ状態データあるいは第１の途中レジ状態データ）と、未更新理由とを含めたが（図４参照）、これらに併せて、最新の途中レジ状態データ（第２の途中レジ状態データ）をさらに含めてもよい。
【０１０６】
以上のようにして第２回目の途中集金処理を実行した後、第３回、第４回・・第ｎ回目の途中集金処理も、引き続き、同様にして、実行する。
【０１０７】
第ｎ回目の途中集金処理の後、図３に示すように、店舗が閉店になったら、ステップＳ１７に示すように、係員は、各ＰＯＳレジスタ１から全ての現金（１万円札、５千円札、２千円札、千円札、５００円硬貨、１００円硬貨、５０円硬貨、１０円硬貨、５円硬貨、１円硬貨）を回収して、各ＰＯＳレジスタの現金毎に、紙幣入金口２０及び硬貨入金口４０に投入する。
【０１０８】
紙幣入出金機１４及び硬貨入出金機１５における制御部３０、４５は、それぞれ、投入された紙幣及び硬貨を計数し、計数結果を、ターミナル装置１１における制御部５３に送出する（ステップＳ１８）。制御部５３は、各制御部３０、４５から受け取った計数結果（紙幣額及び硬貨額）をそれぞれ合計し、算出した合計金額をレジＮｏと関連づけて記憶する（ステップＳ１８）。
【０１０９】
この後、係員が、ターミナル装置１１におけるキーボード５１を用いて「精算終了指示」を入力すると、ステップＳ１９、Ｓ２０において、先程説明したステップＳ１０、Ｓ１１と同様の処理が行われる。
【０１１０】
即ち、ターミナル装置１１における制御部５３は、管理装置２における制御部５から、レジ状態の更新日時を受け取る。（ステップＳ１９）。
【０１１１】
ターミナル装置１１における制御部５３は、受け取った更新日時に基づき、レジ状態に変更があったＰＯＳレジスタ１が存在するか否かを判断し、存在すると判断した場合は、そのＰＯＳレジスタ１のレジ状態データ（最終レジ状態データ）を、管理装置２における制御部５から受け取る（ステップＳ２０）。
【０１１２】
制御部５３は、上述と同様にして、更新リスト及び未更新リストを生成し、生成した更新リスト及び未更新リストを、表示部５０で表示すると共に、プリンタ５２を用いて印刷する（ステップ１９）。
【０１１３】
制御部５３は、所定の条件を満たすＰＯＳレジスタ１については開店時レジ状態データあるいは第ｘの途中レジ状態データ（ｎ＝１、２・・あるいはｎ）を最終レジ状態データによって更新する（ステップＳ１９）。
【０１１４】
制御部５３は、生成した更新リスト及び未更新リストを、精算終了データとして、管理装置２における制御部５に送出する（ステップＳ１９）。
【０１１５】
制御部５３は、例えば、元金額、補充金額及び売上合計金額の合計と、今回の計数結果とを比較し、両者が等しい場合は、そのＰＯＳレジスタについては、データと現金との整合性がとれているという判断もしている。制御部５３は、計数結果から元金額及び補充金額を減算した結果が、売上合計金額に一致しているか否かに基づき、データと現金との整合性を判断してもよい。
【０１１６】
制御部５は、制御部５３から精算終了データを受け取ったら、制御部５３に対して、クリア（全帰零）指示を送出する（ステップＳ２１）。
【０１１７】
クリア指示を受け取った制御部５３は、保有している開店時レジ状態データ、第ｘの途中レジ状態データ、更新リスト及び未更新リストを消去し、クリア完了報告を、管理装置２における制御部５に送出する（ステップＳ２２）。
【０１１８】
以上のように、本発明の実施の形態によれば、ＰＯＳレジスタから収集したレジ情報を用いてＰＯＳレジスタの状態が所定の条件に合致するか否かを判断するようにしたので、ＰＯＳレジスタが適正な状態で運用されているか否かを有効に把握できる。
【０１１９】
また、本発明の実施の形態によれば、現金処理システムに対し、レジ状態データと、ＰＯＳレジスタから回収した金額との整合性を判断させるようにしたので、システム全体の運用状況を有効に把握できる。例えば、ＰＯＳレジスタから回収した金額が、レジ状態データにおける元金額、補充金額及び売上合計金額の合計よりも大きければ、例えば、ＰＯＳレジスタからの現金の回収時に異常があったと判断し、この理由を特定して、適切な対応を取ることができる。
【０１２０】
また、本発明の実施の形態によれば、途中集金処理及び精算処理時において、前回の途中集金処理以降、レジ状態が更新されているか否かを確認し、更新されていない場合は、レジ状態データを管理装置２から現金処理システム３に送らないようにしたので、不必要なデータ通信を省略できる。また、レジ状態が変更されている場合は、新たなレジ状態データによって前回のレジ状態データを更新するようにしたので（所定の条件を満たす場合）、従来のような、最新でないレジ状態データと今回の計数結果とを用いることによる違算を、特に精算処理において、有効に防止できる。
【０１２１】
本実施の形態では、紙幣及び硬貨を取り扱う装置として、紙幣及び硬貨を入出金する紙幣入出金機１４及び硬貨入出金機１５を用いたが、これらの代わりに、紙幣及び硬貨の入金のみを取り扱う入金機（紙幣入金機及び硬貨入金機）を用いてもよい。
【０１２２】
また、本実施の形態では、ＰＯＳレジスタ毎にレジ状態の更新状況を確認し、レジ状態が更新された場合のみ、そのＰＯＳレジスタの情報（レジ状態データ）を管理装置２から現金処理システム３に送出するようにしたが、この他、１台でもレジ状態に更新があれば、全てのＰＯＳレジスタの情報（レジ状態データ）を一括して管理装置３から現金処理システム３に送出するようにしてもよい。
【図面の簡単な説明】
【０１２３】
【図１】本発明の実施の形態としてのＰＯＳレジスタ管理システムの構成を示すブロック図である。
【図２】ＰＯＳレジスタ管理システムを用いた日常業務の流れを示すシーケンス図である。
【図３】図２に続く、シーケンス図である。
【図４】更新リスト及び未更新リストの一例を示す図である。
【符号の説明】
【０１２４】
１（１）〜１（１９）  ＰＯＳレジスタ
２  管理装置
３  現金処理システム
４  ネットワーク
５  制御部
６  通信部
７  記憶部
１１  ターミナル装置
１２  通信部
１４  紙幣入出金機
１５  硬貨入出金機
２０  紙幣入金口
２１  入金識別部
２２  搬送経路
２３  リジェクトボックス
２４  出金識別部
２５  第１環流スタッカ
２６  第２環流スタッカ
２７  回収カセット
２８  回収カセット検出器
２９  回収カセット紙幣検出センサ
３０  制御部
３１  操作部
３２  紙幣出金口
４０  硬貨入金口
４１  入金識別部
４２  選別機
４３  金種別収納部
４４  硬貨出金口
４５  制御部
５０  表示部
５１  キーボード
５２  プリンタ
５３  制御部
【図１】
0004722401.tif 000002
【図２】
0004722401.tif 000003
【図３】
0004722401.tif 000004
【図４】
0004722401.tif 000005